【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
データ入力システムにおいて：
アルファベットの全文字と関連させた複数の第１入力キーであって、当該第１の入力キーの少なくともいくつかが複数の文字と曖昧に関連している第１入力キーと；
前記アルファベットの文字に関連させた複数の第２入力キーと；
前記第１及び第２キーの作動に応じて入力された単語を決定するように構成されたデータシステムと；
を具えることを特徴とするデータ入力システム。
【請求項２】
請求項１に記載のシステムにおいて、前記第１入力キーが仮想キーであることを特徴とするシステム。
【請求項３】
請求項１に記載のシステムにおいて、前記第１入力キーがハードキーであることを特徴とするシステム。
【請求項４】
請求項１乃至３のいずれか１項に記載のシステムにおいて、前記第１入力キーがアルファベットの全文字に割り当てられた４つのキーを具えることを特徴とするシステム。
【請求項５】
請求項１乃至４のいずれか１項に記載のシステムにおいて、前記第２入力キーが仮想キーであることを特徴とするシステム。
【請求項６】
請求項１乃至５のいずれか１項に記載のシステムにおいて、前記データ入力システムがスクリーンを具え、当該スクリーンの対向する側に前記第２入力キーが割り振られていることを特徴とするシステム。
【請求項７】
請求項１乃至６のいずれか１項に記載のシステムにおいて、前記第２入力キーがそれぞれ単一の文字に対応することを特徴とするシステム。
【請求項８】
請求項１乃至７のいずれか１項に記載のシステムにおいて、前記データシステムが前記第１及び第２入力キーのキー作動に応じた単語を辞書から選択するように構成された単語予測データシステムを具えることを特徴とするシステム。
【請求項９】
請求項１乃至８のいずれか１項に記載のシステムにおいて、前記第１入力キーが電話型キーバッドの文字割り当てに類似するように文字を割り当てたキーセットを具えることを特徴とするシステム。
【請求項１０】
請求項１乃至９のいずれか１項に記載のシステムにおいて、前記データ入力システムがスクリーンを具え、当該スクリーンの対向する側に前記第１入力キーが割り振られていることを特徴とするシステム。
【請求項１１】
請求項１に記載のシステムにおいて、前記データシステムが、前記第１キーの一連の作動に応じて単語を選択し、一又はそれ以上の第２キーの作動に応じて前記第１キーの一連の作動に応じて様々な単語を提供するように構成されていることを特徴とするシステム。
【請求項１２】
データ入力システムにおいて：
アルファベットの全文字と関連させた複数のハードキーと；
前記アルファベットの文字に関連する信号を受信するように構成されたタッチスクリーンと；
前記ハードキーの作動と前記タッチスクリーンを介して受信した信号に応じて入力した単語を決定するように構成されたデータシステムと；
を具えることを特徴とするデータ入力システム。
【請求項１３】
請求項１２に記載のシステムにおいて、前記ハードキーの少なくともいくつかが複数の文字に曖昧に関連していることを特徴とするシステム。
【請求項１４】
請求項１２又は１３に記載のシステムにおいて、前記データシステムが前記決定した単語を前記タッチスクリーンに表示することを特徴とするシステム。
【請求項１５】
請求項１２乃至１４のいずれか１項に記載のシステムにおいて、前記ハードキーがデータ入力に使用するように構成されており、前記タッチスクリーンを介して受信した信号が前記データシステムによって誤って決定された単語の補正に使用するように構成されていることを特徴とするシステム。
【請求項１６】
請求項１２乃至１５のいずれか１項に記載のシステムにおいて、前記仮想スクリーンが前記ハードキー間に配置されていることを特徴とするシステム。
【請求項１７】
請求項１２乃至１６のいずれか１項に記載のシステムにおいて、前記ハードキーが前記アルファベットの全文字に割り当てられた４つのキーを具えることを特徴とするシステム。
【請求項１８】
請求項１２乃至１７のいずれか１項に記載のシステムにおいて、前記アルファベットの文字に対応する複数の仮想キーが前記タッチスクリーン上で規定されることを特徴とするシステム。
【請求項１９】
請求項１８に記載のシステムにおいて、前記仮想キーが動的に規定された仮想キーを具えることを特徴とするシステム。
【請求項２０】
請求項１２乃至１９のいずれか１項に記載のシステムにおいて、前記データシステムが前記アルファベットの文字に関連する前記タッチスクリーン上でのグライド動作を識別するように構成されていることを特徴とするシステム。
【請求項２１】
データ入力システムへのテキスト入力方法において：
単語を表わす第１ユーザの対話シーケンスであって、当該第１ユーザの対話の少なくともいくつかが複数の文字に曖昧に対応する対話シーケンスを受信するステップと；
第１の入力信号シーケンスに対応する選択された単語を提供するステップと；
前記データ入力システムのカーソルが特定の位置にある間に、前記第１ユーザの対話によって表示された単語の様々な文字に対応する複数の第２入力信号を受信するステップと；
前記第１入力信号シーケンスに対応する一またはそれ以上の単語と前記受信した複数の第２信号とを提供するステップと；
を具えることを特徴とする方法。
【請求項２２】
請求項２１に記載の方法において、前記一またはそれ以上の更なる単語を提供するステップが、前記表示した単語について受信した複数の前記第２入力信号と、前記第１ユーザの対話と、すでに受信されている前記第２の入力信号に対応する別の単語とを提供するステップを具えることを特徴とする方法。
【請求項２３】
請求項２１又は２２に記載の方法において、前記第１ユーザの対話を受信するステップが、アルファベットの全文字に対応する４つの異なるユーザ対話を受信するステップを具えることを特徴とする方法。
【請求項２４】
請求項２１乃至２３のいずれか１項に記載の方法において、前記第１ユーザの対話の各々が複数の文字に対応することを特徴とする方法。
【請求項２５】
請求項２１乃至２４のいずれか１項に記載の方法において、複数の第２入力信号を受信するステップが、前記単語の最後の文字の直後にカーソルが位置する間に行われることを特徴とする方法。
【請求項２６】
データ入力システムにおいて：
アルファベットの文字に関連させた複数の異なる第１入力信号であって、前記第１入力信号の少なくとも一つがが前記アルファベットの複数の文字に関連する第１入力信号を受信し、前記アルファベットの文字に関連させた複数の第２入力信号を受信するように構成された少なくとも一の入力デバイスと；
出力デバイスと；
前記少なくとも一の入力デバイスを介して受信した第１入力信号シーケンスに応じて前記出力デバイスを介してユーザが意図した単語を推測する第１の単語を提供し、当該第１の単語が単一のカーソル位置から前記出力デバイスを介して表示された後受信された、前記意図した単語の様々な文字に対応する複数の第２入力信号に応じて同じ第１入力信号シーケンスに対応する一またはそれ以上の第２の単語を提供するように構成された単語予測システムと；
を具えることを特徴とするデータ入力システム。
【請求項２７】
請求項２６に記載のシステムにおいて、前記少なくとも一の入力デバイスが、仮想キーを介して前記第２入力信号を受信することを特徴とするシステム。
【請求項２８】
請求項２６又は２７に記載のシステムにおいて、前記少なくとも一の入力デバイスが、アルファベットの全文字に対応する４つの第１入力信号を受信するように構成されていることを特徴とするシステム。
【請求項２９】
請求項２６乃至２８のいずれか１項に記載のシステムにおいて、前記単語予測システムが、前記第１の単語を予測した後、前記意図した単語に含まれれている文字より少ない文字に対応する入力の受信に応じて前記第２の単語を提供するように構成されていることを特徴とするシステム。
【請求項３０】
データ入力システムにおいて：
アルファベットの文字に関連させた複数の異なる第１入力信号を、当該第１入力信号の少なくとも一つが前記複数のアルファベットの文字関連するように受信し、前記アルファベットの文字に関連する複数の第２の入力信号を受信するように構成された少なくとも一の入力デバイスと；
出力デバイスと；
第１入力信号シーケンスを受信して、各受信したシーケンスに応じて、前記出力デバイスを介してユーザが意図した単語を推測する単語を提供するように構成された単語予測システムと；を具え、
前記単語予測システムが更に、第１入力信号シーケンスに対応する第２入力信号を受信して、この第２入力信号が受信されたときに、前記推測した単語が前記第１入力信号シーケンスと対応する第２入力信号の双方に合致するように構成されており；
前記シーケンスの第１入力信号に対応する第２入力信号が、前記少なくとも一の入力デバイスを介して前記シーケンスの第１入力信号が全て受信される前、あるいは、前記シーケンスの第１入力信号が全て受信された後に、受信される；
ことを特徴とするシステム。
【請求項３１】
請求項３０に記載のシステムにおいて、前記少なくとも一の入力デバイスが前記第２入力信号を仮想キーを介して受信することを特徴とするシステム。
【請求項３２】
請求項３０又は３１に記載のシステムにおいて、前記少なくとも一の入力デバイスが前記アルファベットの全文字に対応する４つの第１入力信号を受信するように構成されていることを特徴とするシステム。
【請求項３３】
請求項３０乃至３２のいずれか１項に記載のシステムにおいて、前記単語予測システムが、単一の第１入力信号シーケンスと、対応する第２入力信号の様々なセットに合致する複数の予測単語を提供するように構成されていることを特徴とするシステム。
【請求項３４】
請求項３３に記載のシステムにおいて、前記単語予測システムが、単一の第１入力信号シーケンスと、前記データ入力システムのカーソルが特定の位置にある間に受信した、対応する第２入力信号の様々なセットに合致する複数の予測単語を提供するように構成されていることを特徴とするシステム。
【請求項３５】
請求項３３に記載のシステムにおいて、前記単語予測システムが、単一の第１入力信号シーケンスと、前記データ入力システムのカーソルが様々な位置にある間に受信した、対応する第２入力信号の様々なセットに合致する複数の予測単語を提供するように構成されていることを特徴とするシステム。